(57)【要約】【課題】画像の表示および実行する処理の受付けを行うタッチパネルの領域を十分に活用しつつ、誤入力を防止するタッチパネル装置の提供を目的とする。【解決手段】タッチパネル装置は、タッチパネルを囲う額縁部に、接触を検出する検出部を複数備える。額縁部の各辺に検出部が配置してあり、二辺以上の検出部が接触を検出したか否かをタッチパネル装置は判定する。二辺以上の検出部が接触を検出したと判定した場合、行った受付けを無効にする無効領域をタッチパネル上に設定する。二辺以上の検出部が接触を検出したと判定しなかった場合、無効領域をタッチパネル上に設定しない。【選択図】図７
2014063366.tif 000002
【特許請求の範囲】
【請求項１】
一表面への接触が生じた接触部分に基づいて、実行する処理の受付けを行うタッチパネルと、該タッチパネルを囲う枠体と、受付けを無効にする無効領域を前記一表面に設定する設定部とを備えるタッチパネル装置において、
前記枠体は、該枠体への接触を検出する検出部を複数箇所に備え、
前記複数の検出部が接触を検出した場合に、前記設定部が無効領域を設定するようにしてある
ことを特徴とするタッチパネル装置。
【請求項２】
前記検出部は、前記タッチパネルを挟んで対向する箇所に設けてある
ことを特徴とする請求項１に記載のタッチパネル装置。
【請求項３】
前記枠体は矩形状であり、
前記検出部は、前記枠体の対向する二辺それぞれに設けてある
ことを特徴とする請求項１に記載のタッチパネル装置。
【請求項４】
前記設定部は、接触を検出した検出部の近傍に前記無効領域を設定するようにしてある
ことを特徴とする請求項１から３のいずれか一つに記載のタッチパネル装置。
【発明の詳細な説明】
【技術分野】
【０００１】
本発明は、誤入力を防止するタッチパネル装置に関する。
【背景技術】
【０００２】
画像の表示と実行する処理の受付けとを行うタッチパネル、及びそのタッチパネルを囲う額縁状の筐体を備えたタッチパネル装置が実用化されている。タッチパネルは、画像を表示する画像表示パネルと入力を受付ける受付パネルとが重ねて配設してあり、受付パネルで受付けを行った位置に対応する画像表示パネル上の表示内容に基づいて、受付けに応じた処理を実行する。
【０００３】
タッチパネル装置に対して、携帯可能とするために、小型軽量化を求めるユーザの要求がある。また、小型軽量化されているが表示画像は大きく見たい、というユーザの要求もある。つまり、小型軽量化とともに、タッチパネル装置に対するタッチパネル部分の拡大化を求めるユーザの要求がある。これらの要求に対して、タッチパネルの周囲を囲う筐体部分をより狭くしたタッチパネル装置、つまり狭額縁化されたタッチパネル装置が実用化されている。
【０００４】
狭額縁化されたタッチパネル装置では、タッチパネルの周囲を囲う筐体部分の幅が狭いため、ユーザがタッチパネル装置を手で持って操作しようとする場合に、ユーザの意図に反して、持っている手によりタッチパネルに触れてしまう可能性がある。持っている手によりタッチパネルに触れてしまった場合、タッチパネル装置に対する誤入力を招く虞がある。
【０００５】
特許文献１は、タッチパネルの中央に画像の表示および実行する処理の受付けを行うタッチパネル部位及びタッチパネルに対する受付けを禁止する受付禁止部位を設けたタッチパネル装置を用い、タッチパネル装置の誤入力防止を提案している。特許文献１のタッチパネル装置では、受付禁止部位が額縁状の筐体の内周に沿ってタッチパネル部位を囲い、受付禁止部位への指示入力を検出した場合にタッチパネル部位で受け付けた指示入力を無効化している。
【先行技術文献】
【特許文献】
【０００６】
【特許文献１】特開２０１２−００８９２３号公報
【発明の概要】
【発明が解決しようとする課題】
【０００７】
筐体の内周に沿って受付禁止部位を設けた場合には、タッチパネルのうち、画像の表示および実行する処理の受付けを行う部分の面積がより小さくなる。したがって、タッチパネル装置の誤入力を防止する従来の試みは、タッチパネルの領域を十分に活用しているとは言い難い。
【０００８】
本発明は斯かる事情に鑑みてなされたものであって、タッチパネルの領域を十分に活用しつつ、誤入力を防止するタッチパネル装置の提供を目的とする。
【課題を解決するための手段】
【０００９】
本発明に係るタッチパネル装置は、一表面への接触が生じた接触部分に基づいて、実行する処理の受付けを行うタッチパネルと、該タッチパネルを囲う枠体と、受付けを無効にする無効領域を前記一表面に設定する設定部とを備えるタッチパネル装置において、前記枠体は、該枠体への接触を検出する検出部を複数箇所に備え、前記複数の検出部が接触を検出した場合に、前記設定部が無効領域を設定するようにしてあることを特徴とする。
【００１０】
上述のタッチパネル装置では、枠体にユーザの手が接触したか否かを検出する。ユーザがタッチパネル装置を手で持って操作する場合、タッチパネルを囲う枠体の複数個所に指がかかり、意図せずにその指先がタッチパネルに触れてしまう状況が推測される。したがって、枠体の複数個所に対する接触を検出した場合に、タッチパネルが行った受付けを無効にする無効領域をタッチパネル上に設定する。
【００１１】
ユーザがタッチパネル装置を机などにおいて操作する場合、枠体を手で持って固定することなく操作する状況が推測される。このように枠体への接触がない場合においても、タッチパネル上の枠体近傍領域へユーザが受付け行う際には、意図せずその指の一部が枠体の一部に接触してしまう可能性がある。そのような場合にまで無効領域が設定されたのでは、ユーザが意図する処理の受付けができない事態も生じ得る。したがって、上述のタッチパネル装置では、枠体の複数個所に対する接触を検出した場合に無効領域を設定する。
【００１２】
また本発明に係るタッチパネル装置は、前記検出部は、前記タッチパネルを挟んで対向する箇所に設けてあることを特徴とする。
【００１３】
ユーザがタッチパネル装置を手で持って操作する場合、枠体におけるタッチパネルを挟んだ対向する二箇所以上にユーザの手が触れることが推測される。たとえば、楕円形状のタッチパネル装置の場合、枠体の上下にある少なくとも二箇所を手で固定して、操作を行うことが推測される。したがって、上述のタッチパネル装置では、枠体におけるタッチパネルを挟んだ対向する複数個所で接触を検出しなかった場合には、無効領域をタッチパネル上に設定しない。
【００１４】
またタッチパネル装置は、前記枠体は矩形状であり、前記検出部は、前記枠体の対向する二辺それぞれに設けてあることを特徴とする。
【００１５】
矩形状の枠体を備えるタッチパネル装置をユーザが手で持って操作する場合、枠体の対向する二辺にユーザの手が触れる可能性が極めて高い。したがって、上述のタッチパネル装置では、対向する二辺に対する接触を検出した場合に、無効領域をタッチパネル上に設定する。
【００１６】
またタッチパネル装置は、前記設定部は、接触を検出した検出部の近傍に前記無効領域を設定するようにしてあることを特徴とする。
【００１７】
ユーザが枠体を手で持ってタッチパネル装置を操作する場合、枠体を持つ手の指先が、意図せずにタッチパネルに触れてしまう状況が推測される。したがって、上述のタッチパネル装置では、枠体の接触部分の近傍にあるタッチパネル上の領域に無効領域を設定する。
【発明の効果】
【００１８】
本発明にあっては、枠体への接触を検出し、検出結果に基づいて、無効領域をタッチパネル上に設定する。ユーザがタッチパネル装置を手で持って操作する場合には枠体の二カ所以上にユーザの手が触れるであろうという推測に基づき、無効領域をタッチパネル上に設定する。したがって、タッチパネル装置全体に対するタッチパネルの受付領域を広げ、タッチパネルの領域を十分に活用しつつ、誤入力を防止することが可能となる。
【図面の簡単な説明】
【００１９】
【図１】携帯タッチパネル装置の外観を示す模式図である。
【図２】携帯タッチパネル装置の内部構成を示すブロック図である。
【図３】ユーザが携帯タッチパネル装置を手に持った状態を示す説明図である。
【図４】ユーザが携帯タッチパネル装置を手に持った状態を示す説明図である。
【図５】無効領域の範囲を記録部に記録する方法の一例を示す説明図である。
【図６】無効領域の範囲を記録部に記録する方法の他の一例を示す説明図である。
【図７】制御部による指示入力の受け付け制御の処理について処理手順を示すフローチャートである。
【発明を実施するための形態】
【００２０】
以下、携帯可能な携帯タッチパネル装置を一例とし、本発明をその実施の形態を示す図面に基づいて具体的に説明する。
【００２１】
図１は、携帯タッチパネル装置１の外観を示す模式図である。図２は、携帯タッチパネル装置１の内部構成を示すブロック図である。携帯タッチパネル装置１は、矩形状のタッチパネル２とタッチパネル２の周縁に配置した額縁部（枠体）３とを含む。また携帯タッチパネル装置１は、携帯タッチパネル装置１の各部を制御する制御部４及び携帯タッチパネル装置１の処理に係るプログラムを記録する記録部５を含む。
【００２２】
タッチパネル２は、画像を表示する画像表示パネル２１と実行する処理の受付けを行う受付パネル２２とを備える。画像表示パネル２１及び受付パネル２２は矩形平面状に形成されており、画像表示パネル２１に重ねて受付パネル２２が配設してある。
【００２３】
画像表示パネル２１は、液晶パネル又はＥＬ（エレクトロルミネセンス）パネル等で構成してあり、制御部４による制御に基づいて画像を表示する。
【００２４】
受付パネル２２は、抵抗膜方式又は静電容量方式等の方法により、受付パネル２２内の何れの位置に対する接触が生じたかを検出し、検出した位置を示す位置データを制御部４に出力する。
【００２５】
制御部４は、演算を実行するＣＰＵで構成してあり、記録部５に記録したプログラムに基づいて、携帯タッチパネル装置１における各種処理の実行を制御する。また制御部４は、受付パネル２２からの出力結果に基づいて、接触による受付けに応じた処理を実行するように各部を制御する。
【００２６】
記録部５は、ＲＡＭ、ＲＯＭ、ＨＤＤ等の記録媒体で構成してあり、携帯タッチパネル装置１の各処理に用いるプログラムを記録する。
【００２７】
額縁部３は、タッチパネル２の周縁を囲う枠状部分と前面に画像を表示するタッチパネル２の後面側を覆うカバー部分とを含む額縁形状を有しており、額縁形状の各辺に複数の接触検出部３１を備える。接触検出部３１は、抵抗膜方式又は静電容量方式等の方法により、ユーザの手が額縁部３に接触したか否かを検出して制御部４に出力する。したがって額縁部３は、ユーザの手が接触した額縁部３の部位に関する情報を制御部４に与える。額縁部３は、携帯タッチパネル装置１全体に対するタッチパネル２の領域を十分に広げるようにするために、枠状部分の幅が狭い額縁形状となっている。
【００２８】
図３及び図４は、ユーザが携帯タッチパネル装置１を手に持った状態を示す説明図である。ユーザが携帯タッチパネル装置１を手で固定しようとする場合には、タッチパネル２を挟んで対向する額縁部３の複数個所に指を接触させる可能性が高いと推測される。具体的には、額縁部３の対向する二辺に指を接触させる可能性が高いと推定される。したがって図３及び図４では、額縁部３の対向する二辺にユーザの手が接触することにより、携帯タッチパネル装置１が固定される例について示してある。
【００２９】
額縁部３は狭額縁化してあるため、ユーザが携帯タッチパネル装置１を手で固定する際に、意に反してユーザの指がタッチパネル２に触れることがある。その場合には、意図せぬ接触により、受付パネル２２が受付けを行い、誤入力による処理を制御部４が実行する虞が考えられる。そのため、接触検出部３１を介して額縁部３の二辺以上がユーザの指に接触したことを検出した場合、制御部４は、その接触検出部３１が接触を検出した手の指先が触れるであろうと予想されるタッチパネル２上の領域を、受付けを無効にする無効領域２３としてタッチパネル２上に設定する。また制御部４は、無効領域２３から行った受付けを無効にする。したがって制御部４は、無効領域２３から行った受付けに応じた処理を実行しないように各部を制御する。このような構成により、ユーザが携帯タッチパネル装置１を手で固定する際においても、携帯タッチパネル装置１全体に対する受付領域減少を抑えた状態で、誤入力を防止することが可能となる。
【００３０】
小型である携帯タッチパネル装置１であっても、携帯タッチパネル装置１をデスク等に置いて使用する状況も考えられる。このような状況で、額縁部３の近傍にあるタッチパネル２上の領域にユーザが接触して操作を行う場合、意図せずに額縁部３に触れてしまうこともある。この場合にも無効領域２３が設定されたのでは、ユーザが携帯タッチパネル装置１を操作できない事態も考えられる。しかしながら、携帯タッチパネル装置１をデスク等に置いて使用する状況で、額縁部３の近傍にあるタッチパネル２上の領域にユーザが接触して操作を行う場合、意図せずに額縁部３の二辺以上に触れてしまうことは稀である。したがって、接触検出部３１を介して額縁部３の一辺のみがユーザの指に接触したことを検出した場合には、無効領域２３を設定せず、接触検出部３１を介して額縁部３の二辺以上がユーザの指に接触したことを検出した場合に、無効領域２３を設定するようにしてある。
【００３１】
図５は、無効領域２３の範囲を記録部５に記録する方法の一例を示す説明図である。図５では、座標を（Ｘ，Ｙ）を用いて、タッチパネル２上の矩形状の無効領域２３の範囲を記録する例について説明してある。図５において、斜線を付した接触検出部３１は、接触を検出した接触検出部３１を示す。また、斜線を付したタッチパネル２上の領域は、行った受付けを無効にする無効領域２３の範囲を示す。タッチパネル２を用い、１つの接触検出部３１が接触を検出した場合の無効領域２３の矩形状範囲を、座標のＸ値及びＹ値を使用して記録部５に記録する（図５Ａ）。この記録により、１つの接触検出部３１が接触を検出した場合、接触を検出した接触検出部３１の近傍にあるタッチパネル２上の近傍範囲が、無効領域２３としてタッチパネル２上に設定される（図５Ａ）。具体的には、その検出部にユーザが接触した場合に、ユーザの指先が触れるであろうタッチパネル２上の範囲に無効領域２３が設定される。接触を検出した額縁部３の一辺上で連続して配置してある複数の接触検出部３１が接触を検出した場合、接触を検出した接触検出部３１の近傍にあるタッチパネル２上の近傍範囲であって、接触を検出した各接触検出部３１に対する重複領域を含んだ範囲が、無効領域２３としてタッチパネル２上に設定される（図５Ｂ）。また、額縁部３の一辺上で十分に離隔した複数の接触検出部３１が接触を検出した場合、接触を検出した各接触検出部３１の近傍にあるタッチパネル２上の近傍範囲が、無効領域２３としてタッチパネル２上に設定される（図５Ｃ）。
【００３２】
図６は、無効領域２３の範囲を記録部５に記録する方法の他の一例を示す説明図である。座標を（Ｘ，Ｙ）を用いて、タッチパネル２上の弓状の無効領域２３の範囲を記録する例について説明してある。図６において、斜線を付した接触検出部３１は、接触を検出した接触検出部３１を示す。また、斜線を付したタッチパネル２上の領域は、行った受付けを無効にする無効領域２３の範囲を示す。タッチパネル２を用い、１つの接触検出部３１が接触を検出した場合の無効領域２３の弓状範囲を、座標のＸ値及びＹ値を使用して記録する（図６Ａ）。この記録により、１つの接触検出部３１が接触を検出した場合、接触を検出した接触検出部３１の近傍にあるタッチパネル２上の設定した範囲が、無効領域２３としてタッチパネル２上に設定される（図６Ａ）。額縁部３の一辺上で連続して配置してある複数の接触検出部３１が接触を検出した場合、接触を検出した接触検出部３１の近傍にあるタッチパネル２上の近傍範囲であり、接触を検出した各接触検出部３１に対する重複領域を含んだ範囲が、無効領域２３としてタッチパネル２上に設定される（図６Ｂ）。また、額縁部３の一辺上で十分に離隔した複数の接触検出部３１が接触を検出した場合、接触を検出した各接触検出部３１の近傍にあるタッチパネル２上の近傍範囲が、無効領域２３としてタッチパネル２上に設定される（図６Ｃ）。
【００３３】
図５及び図６では、接触を検出する各接触検出部３１に最も近接するタッチパネル２上の範囲と両隣に配置した接触検出部３１に最も近接するタッチパネル２上の範囲とに、無効領域２３が設定される例について示してある。しかしながら、接触検出部３１に最も近接するタッチパネル２上の範囲ではなく、その最も近接する範囲から少し離れた範囲（接触検出部３１から若干離隔した範囲）に指先が触れることも推測される。したがって、接触検出部３１から若干離隔した範囲に無効領域２３が設定する構成とする等、携帯タッチパネル装置１を手で持った場合にユーザの指が触れるであろうタッチパネル２上の領域を適宜推測し、その推測結果に基づいて、無効領域２３として設定する範囲を記録すればよい。タッチパネル２の内周全域に対して無効領域２３を設定するのではなく、タッチパネル２の各辺に沿った一部分にのみ無効領域２３を設定する構成であるため、タッチパネル２で実際に受付けを行う領域が制限されることを抑制することができる。
【００３４】
図７は、制御部４による指示入力の受け付け制御の処理について処理手順を示すフローチャートである。制御部１０は、接触検出部３１を介して、額縁部３の二辺以上で接触を検出したか否かを判定する（ステップＳ１１）。額縁部３の二辺以上で接触を検出したと判定しなかった場合（Ｓ１１：ＮＯ）、制御部１０はステップＳ１１を繰り返す。額縁部３の二辺以上で接触を検出したと判定した場合（Ｓ１１：ＹＥＳ）、制御部１０は記録部５の記録内容を参照し、接触を検出した各接触検出部３１の近傍範囲を無効領域２３として、タッチパネル２上に設定する（ステップＳ１２）。
【００３５】
制御部１０は、一定時間の経過後、額縁部３の二辺以上で接触を検出したか否かを再び判定する（ステップＳ１３）。額縁部３の二辺以上で接触を検出したと判定した場合（Ｓ１３：ＹＥＳ）、制御部１０は記録部５の記録内容を参照し、接触を検出した各接触検出部３１の近傍範囲を無効領域２３としてタッチパネル２上の設定を更新し（ステップＳ１４）、ステップＳ１３を繰り返す。額縁部３の二辺以上で接触を検出したと判定しなかった場合（Ｓ１３：ＮＯ）、制御部１０は、タッチパネル２上の無効領域２３の設定を解除し（ステップＳ１５）、処理を終了する。
【００３６】
タッチパネル２上に設定された無効領域２３では、接触により行った受付けが無効にされる。つまり、無効領域２３への接触による受付けに応じた処理は実行されない。したがって、ユーザが携帯タッチパネル装置１を手で持って操作する場合においても、手に持つことによって額縁部３の二辺以上に触れてしまうことから生じる接触誤入力を、防止することが可能となる。また、携帯タッチパネル装置１が机などに置かれ、ユーザが意図せずに額縁部３の一辺に触れた場合には、額縁部３の二辺以上で接触を検出したこととはならないため、無効領域２３がタッチパネル２上に設定されないため、受付けに応じた処理が実行される。したがって、タッチパネルの領域を十分に活用し、誤入力を防止することが可能となる。
【００３７】
上述した実施の形態では、抵抗膜方式又は静電容量方式等の方法により接触を検出する接触検出部３１を用いて構成していたが、接触を検出する物理的なスイッチを用いて構成してもよい。また上述した実施の形態では、額縁部３の各辺に複数の接触検出部３１を敷き詰める構成としていたが、各辺において指が接触すると予想される位置にのみ（例えば、図３で指が接触している位置にのみ）接触検出部３１を配置する構成としてもよい。また、額縁部３全体を一つの接触検出部とし、その接触検出部が複数の接触検出部位を額縁部３の各辺に有する構成としてもよい。
【００３８】
上述した実施の形態では、無効領域２３の範囲をタッチパネル２を介してセッティング記録するように構成していたが、出荷時にデフォルトとして、無効領域２３の範囲を記録部５に記録するように構成してもよい。また、座標を（Ｘ，Ｙ）を用いて無効領域２３の範囲を記録するように構成していたが、実際にタッチパネル２を指で触れて範囲を特定し、特定した範囲を無効領域２３の範囲とするように記録できるように構成してもよい。
【００３９】
上述した携帯タッチパネル装置１は、タッチパネル２を備えた携帯電話であってもよいし、タブレット端末であってもよい。
【００４０】
今回開示された実施の形態はすべての点で例示であって、制限的なものでは無いと考えられるべきである。本発明の範囲は、上で例示した内容だけで無く、特許請求の範囲によって示され、特許請求の範囲と均等の意味及び範囲内でのすべての更新が含まれることが意図される。
【符号の説明】
【００４１】
１    携帯タッチパネル装置
２    タッチパネル
２１  画像表示パネル
２２  受付パネル
２３  無効領域
３    額縁部
３１  接触検出部
４  制御部
５  記録部
【図１】
2014063366.tif 000003
【図２】
2014063366.tif 000004
【図３】
2014063366.tif 000005
【図４】
2014063366.tif 000006
【図５】
2014063366.tif 000007
【図６】
2014063366.tif 000008
【図７】
2014063366.tif 000009